【手続補正書】
【提出日】平成19年2月5日(2007.2.5)
【手続補正１】
【補正対象書類名】明細書
【補正対象項目名】全文
【補正方法】変更
【補正の内容】
【発明の詳細な説明】
【発明の名称】単一バッテリーハウジングアセンブリ
【技術分野】
【０００１】
（技術分野）
本発明は、一般に、バッテリー容器に関する。より具体的には、電子デバイス（例えば、単眼用暗視デバイス）に電力を供給するために使用される単一バッテリーを保持するためのバッテリーホルダに関する。
【背景技術】
【０００２】
（発明の背景）
多くの電子デバイスは、１つ以上のバッテリーが作動することを要する。１つのこのような電子デバイスは、単眼用暗視デバイスである。この単眼用暗視デバイスは、軍人および法務執行官が、微光状態下でまたは夜間に仕事することを可能にする。
【０００３】
従来の単眼用暗視デバイスは、二重バッテリーハウジングアセンブリを使用して、光増幅器（ｉｍａｇｅ  ｉｎｔｅｎｓｉｆｉｅｒ）および電子アセンブリ（回路基板およびフレキシブル回路（ｆｌｅｘ  ｃｉｒｃｕｉｔｒｙ）を含む）に電圧を与える。その従来の二重バッテリーハウジングアセンブリは、バッテリー区画を提供し、その電子機器を保持し、そのバッテリーおよび電子機器を、そのシステムの残りに接続する。従来の二重バッテリーハウジングアセンブリは、２つの１．５ボルト直流ＡＡバッテリーが作動することを要する。まとめると、その２つのバッテリーは、その暗視デバイスにおけるイメージ管に電圧を与えるために必要な２〜３ボルトを提供する。しかし、１つのバッテリーの代わりに、２つのバッテリーでシステムを作動させようとすると、バッテリーハウジングアセンブリの大きさが増し、そのシステムの重量が重くなる。２つ目のバッテリーの余分な重量は、そのシステムが、手動操作不要でものを見るために、頭部取り付け具で装着されるかまたはヘルメット取り付け具により装着される場合、大きな要因になり得る。その２つバッテリーのシステムはまた、より大きな視覚的妨害を有して、そのシステムの周りの周辺視野を妨げる。
【０００４】
さらに、そのバッテリーの寿命が尽きるまでバッテリーを使用する代わりに、多くのユーザーは、任務の間にバッテリーを交換しなくてもよいように、各任務が始まる前に、新しいバッテリーをその単眼用暗視デバイスに挿入する。ユーザーが、バッテリーの寿命が尽きる前にバッテリーを交換する場合、その単眼用暗視デバイスが単一バッテリーしか要しない場合よりも、２倍程度のバッテリーが使用される。
【０００５】
さらに、その従来の単眼用暗視デバイス設計は、バッテリーカートリッジを使用し、そのバッテリーカートリッジは、並んでいる二重バッテリー区画で使用するように設計されている。このようなバッテリーカートリッジは、単一バッテリー区画で使用するように設計されたねじ止めキャップほど容易に操作できない。例えば、その二重バッテリーカートリッジは、解放レバーを使用し、このレバーは、不注意にも作動してしまい、そのバッテリーカートリッジを、操作の間にそのバッテリーハウジングから外し得る。従って、そのバッテリーカートリッジは、軍人および法務執行の操作において必要な困難な環境に耐えるほどに十分頑強でない傾向がある。
【０００６】
さらに、その従来の二重バッテリーハウジング上のバッテリーカートリッジとその可変ゲインノブ（ｖａｒｉａｂｌｅ  ｇａｉｎ  ｋｎｏｂ）アセンブリとの間の距離は、非常に制限されており、０．０３０インチ程度である。そのバッテリーカートリッジのサイズが大きくなることを補償するために、その可変ゲインノブアセンブリの直径は、望ましいものより小さく作られ、よって、いくらかのユーザーは、特に手袋を装着している場合に、そのノブを操作することが困難になる。
【０００７】
その従来の二重バッテリーカートリッジは、首の吊り紐を介して、そのシステムの残りに連結され、この吊り紐は、そのバッテリーカートリッジをそのバッテリーハウジングに挿入するにあたって困難を引き起こし得る。なぜなら、その首の吊り紐は、そのバッテリーカートリッジの挿入の間に邪魔になり得るからである。
【発明の開示】
【発明が解決しようとする課題】
【０００８】
二重バッテリーハウジングの欠点を克服するために、新たな単一バッテリーハウジングが、提供される。本発明の目的は、サイズがより小さく、重量がより軽く、かつその二重バッテリーハウジングよりも容易に使用できる、単眼用暗視デバイスのための改善されたバッテリーハウジングを提供することである。関連する目的は、どのノブも回しやすくなるように、そのバッテリーキャップとその可変ゲインノブアセンブリとの間により空間を設けることである。別の目的は、そのバッテリーハウジングにおけるその単一のバッテリーをより交換しやすくすることである。
【課題を解決するための手段】
【０００９】
（発明の要旨）
これらおよび他の目的を達成するために、およびその目的に鑑みて、本発明は、暗視デバイスで使用するための、バッテリーおよび回路基板を備えるように構成され、かつそのハウジングをその暗視デバイスに取り外し可能に固定するための締め具と協働するようにさらに構成されている、バッテリーハウジングを提供する。そのハウジングは、単一のバッテリーを保持し、ハウジング中に保持されるように構成されているバッテリーホルダを備える。そのバッテリーホルダは、電子回路にそのバッテリーを接続するための電気的接触と作動可能に関連づけられている。
【００１０】
前述の一般的記載および以下の詳細な説明は、本発明の例示であって、限定ではないことが理解されるべきである。
【発明を実施するための最良の形態】
【００１１】
（発明の詳細な説明）
本発明の単一バッテリーハウジングアセンブリの例示的実施形態は、作動のために単一のＡＡバッテリーしか要しない。それらの電力、空間、重量、および最後の構成が、そのハウジングにフィットし、取り付けられたデバイスに電圧を与えるために十分である場合に、異なる名称を有するバッテリー、または複数の他のバッテリーが使用され得ることが当業者によって理解される。そのバッテリーハウジングアセンブリは、１．５ボルトＡＡバッテリーを、少なくとも２ボルトまで上昇させ得る電圧逓昇回路（ｖｏｌｔａｇｅ  ｓｔｅｐ−ｕｐ  ｃｉｒｃｕｉｔ）を備え得る。これは、光増幅器を作動させるに十分な電力を提供し得る。そのハウジングアセンブリは、小型にし、耐久性があり、人間工学的に改善される様式で設計され、環境からのシールおよびＥＭＩ遮蔽もまた提供する。そのバッテリーハウジングアセンブリは、リバースポラリティー保護、およびシステムショックの間に（例えば、それが武器に取り付けられ、その武器が発射される場合に）、そのバッテリーとの電気的接触を維持する能力を提供し得る。
【００１２】
バッテリーキャップはまた、使用しやすさ、頑強であること、および人間工学的設計を改善する。そのバッテリー用空洞の設計、そのバッテリーの接触、およびそのバッテリー用空洞におけるその接触はまた、バッテリーが不正確に挿入される場合に、リバースポラリティー保護を提供し得る。そのバッテリー用空洞の位置はまた、そのバッテリーキャップアセンブリとその可変ゲインノブアセンブリとの間により大きなゆとりを提供し得る。例示的実施形態において、そのバッテリーキャップアセンブリとその可変ゲインノブアセンブリとの間の距離は、先行技術の４倍〜５倍まで増やされ得る。従って、従来の可変ゲインノブアセンブリよりも大きな直径の可変ゲインノブアセンブリが、そのハウジングアセンブリの中に組み込まれ得る。そのバッテリーキャップアセンブリは、そのバッテリーキャップ上の上部支柱に、およびそのバッテリーハウジングの支柱のうちの１つに取り付けられるケーブルによって、そのシステムに保持され得る。この保持方法は、そのバッテリーキャップを取り付ける間の、そのバッテリーキャップとそのバッテリーハウジングとの間の干渉を減少させ得る。
【００１３】
ここで図面を参照すると、この図面において、類似の参照番号は、その図面を含む種々の図全体を通して類似の要素をいう。図１は、その単一バッテリーハウジングアセンブリ３００の例示的実施形態を示す。単一バッテリーハウジングアセンブリ３００は、オン／オフスイッチ２１６、電子機器アセンブリ２０６、およびバッテリーキャップアセンブリ３１０を備える。締め具支柱２０４Ａ、２０４Ｂ、２０４Ｃ、２０４Ｄは、その単一バッテリーハウジングアセンブリが、単眼用ハウジングアセンブリに接続されるようにする。その単一バッテリーハウジングアセンブリ３００の嵌合表面の寸法が、従来のバッテリーハウジングと同じ寸法であってもよいので、単一バッテリーハウジングアセンブリ３００は、その二重バッテリーハウジングアセンブリと同じ様式で、その単眼用ハウジングアセンブリに取り付けられ得、その単眼用ハウジングアセンブリは、再設計する必要はない。
【００１４】
図２を参照すると、単眼用ハウジングアセンブリ２６０は、４つの締め具支柱２６４を有し、そのうちの２つが示されている。単一のバッテリーハウジングアセンブリ３００は、締め具支柱２０４Ａ、２０４Ｂ、２０４Ｃ、２０４Ｄを、締め具支柱２６４と接合するために、４つの締め具を用いて、単眼用ハウジングアセンブリ２６０に固定され得る。図２は、一緒に固定された２つのユニットを示す。図１は、吊り紐保持支柱３１９に連結された吊り紐２０５を示す。吊り紐２０５は、それぞれの端部にループ２０９および２１０を有する。ループ２０９は、支柱３１９の下に配置され得る。ループ２０９と２１０との間にあるその吊り紐の一部は、支柱２０４Ｄの溝２０８中に配置され得る。単眼用ハウジングアセンブリ２６０が、単一バッテリーハウジングアセンブリ３００に、支柱２０４Ａ、２０４Ｂ、２０４Ｃ、２０４Ｄ、および２６４において締め具で接続される場合、吊り紐２０５は、溝２０８にクランプされ得る。バッテリーキャップアセンブリ３１０が取り外される場合、吊り紐２０５およびバッテリーキャップアセンブリ３１０は、吊り紐２０５が溝２０８により捕捉されるので、間違って配置することはない。
【００１５】
図１および図３を参照すると、その単一バッテリーハウジングアセンブリ３００は、バッテリーハウジング／スリーブアセンブリ５００、プリント回路基板アセンブリおよびフレキシブル回路を備える電子機器アセンブリ２０６、バッテリーキャップアセンブリ３１０、スイッチノブアセンブリ２１６、および可変ゲインノブアセンブリ２１８を備える。その電子機器アセンブリにおけるプリント回路基板アセンブリは、逓昇変換器（示さず）を組み込み得る。この逓昇変換器は、単一の１．５ボルトＡＡバッテリーにより提供される電圧を、その単眼用ハウジングアセンブリ中の光増幅器（示さず）に電圧を与えるために、少なくとも２ボルトに上昇させ得る。
【００１６】
図４は、バッテリースリーブアセンブリ６００の分解組み立て図を示す。このバッテリースリーブアセンブリは、バッテリースリーブ６１０、絶縁ワッシャー６２０、板バネ６３０、および端部部分バネ絶縁体６４０を備える。バッテリースリーブ６１０もまた、図５に示される。バッテリースリーブ６１０は、導電性材料から作られる中空シリンダーである。例示的実施形態において、バッテリースリーブ６１０の内側の長さおよび寸法は、単一のＡＡバッテリーを囲むに十分であり得る。代替的実施形態において、バッテリースリーブ６１０の内部寸法は、単眼用暗視デバイスまたは他のデバイスに電圧を与えるに十分な電圧および電力を供給し得る、いかなるバッテリーをも囲むに十分であり得る。例示的実施形態において、その導電性材料は、導電性プラスチックであり得る。代替的実施形態において、その導電性材料は、導電性金属であり得る。導電性金属の例としては、７０７５アルミニウム、または高温（例えば、４００°Ｆを超える温度）および高圧に耐え得る任意の他の金属もしくは材料であり得る。
【００１７】
図４および図５を参照すると、バッテリースリーブ６１０は、開放端部６５０を有する。例示的実施形態において、開放端部６５０は、そのバッテリースリーブ６１０の上部端部であり得る。代替的実施形態において、開放端部６５０は、そのバッテリースリーブの底部端部であり得る。バッテリースリーブ６１０は、複数のセグメントへと機械加工される単一の導電性シリンダーであり得る。セグメント６５２は、バッテリースリーブ６１０の長さ全体の約１０％を構成し得、このセグメントは、外側にねじ山が切られ、開放端部６５０を形成する。例示的実施形態において、その外側のねじ山は、スタブアクメねじ（ｓｔｕｂ  ａｃｍｅ  ｔｈｒｅａｄ）であり得、このねじは、焼き付くことも、斜めにねじが進むこともなく、容易な開始かつ迅速な設置という利点を有する。代替的実施形態において、他のねじの型も使用され得る。セグメント６５２の外側のねじ山は、以下に示されるように、バッテリーキャップアセンブリ３１０上の内側ねじ山と連結する。セグメント６５２にすぐ隣接するのは、ｏ−リング溝６５５であり得る。Ｏ−リング溝６５５は、バッテリースリーブ６１０の一部として製造されなくてもよいが、代わりに、製造プロセスの間に、バッテリースリーブ６１０の周りに配置される別個の部材であり得る。バッテリーキャップアセンブリ３１０は、セグメント６５２の外側ねじ山上を進む場合、バッテリーキャップアセンブリ３１０は、セグメント６５２を超えて延びて、ｏ−リング溝６５５と連結して、そのバッテリーハウジングアセンブリが、天候条件、塩水を含む水分、砂および粉塵の任意の型による影響を受けないようにされ得る、環境からのシールを形成し得る。
【００１８】
ｏ−リング６５５に隣接して、溝は、オーバーモールドプロセス（後に記載される）が完了した場合に、さらなる環境からのシールを提供する一連の溝であり得る。これらの溝は、以下のオーバーモールドプロセスの間に埋められて、そのバッテリースリーブアセンブリ６００が、確実に、バッテリーハウジングアセンブリ３００内に固定して保持されたままであるように補助し得、そのバッテリーハウジングアセンブリから抜けないようにし得る。
【００１９】
負のコネクター６５８は、バッテリースリーブ６１０の外側表面から外側に突出している。負のコネクター６５８は、フレキシブル回路とバッテリーの負の端子との間の電気的接続を提供し得る。例示的実施形態において、負のコネクター６５８は、バッテリースリーブ６１０の一体部分であり得る。すなわち、その負のコネクター６５８およびそのバッテリースリーブ６１０の両方が、一片の材料から製造され得る。負のコネクター６５８は、スリーブ６１０の長手軸に関して角度をつけて突出し得る。例示的実施形態において、負のコネクター６５８は、バッテリースリーブ６１０の長手軸に対して実質的に垂直な角度で突出し得る。代替的実施形態において、それは、バッテリースリーブ６１０の長手軸に対して実質的に垂直でない角度で突出してもよい。
【００２０】
負のコネクター６５８がバッテリースリーブ６１０から突出している、その負のコネクター６５８の底部端部において、さらなる材料の支持体６６０が機械加工されて、負のコネクター６５８のための支持体を提供し、負のコネクター６５８を、バッテリースリーブ６１０からの断絶から保護し得る。例示的実施形態において、支持体６６０は、同じ単一のロッドまたは材料シートの一部であり、これらから、バッテリースリーブ６１０および負のコネクター６５８が作製される。支持体６６０は、負のコネクター６５０の底部端部と一体であり、かつバッテリースリーブ６１０の外側表面と一体である。負のコネクター６５８の底部は、バッテリースリーブ６１０との物理的かつ電気的接触を作り出す。負のコネクター６５８の上部は、フレキシブル回路アセンブリとの物理的かつ電気的接触を作り出し得る。負のコネクター６５８の質量は、負のコネクターの上部をそのフレキシブル回路に容易にハンダ付けし得るように最小にされ得る。代替的実施形態において、負のコネクター６５８は、改変された矩形またはシリンダのような種々の形状で作製され得る。その最も適切な形状が選択されて、そのフレキシブル回路アセンブリとそのバッテリースリーブ６１０との間の最小の物理的かつ電気的接続を提供し得る。
【００２１】
バッテリースリーブ６１０の他方の端部６６２もまた、開放端部である。例示的実施形態において、端部６６２は、バッテリースリーブ６１０の底部であり得る。代替的実施形態において、端部６６２は、バッテリースリーブ６１０の上部であってもよい。底部端部６６２は、当業者に公知のリブで形成されるスナップ留め外形６６４を有する。スナップ留め外形６６４の外径は、バッテリースリーブ６１０の本体の外径より小さい。例示的実施形態において、端部６６２の内径は、バッテリースリーブ６１０の本体の内径と同じである。バッテリースリーブ６１０の底部における小さい方の外径のスナップ留め外形６６４は、バッテリースリーブ６１０を、そのバネ絶縁体６４０にスナップ留めし得、絶縁ワッシャー６２０のための上側留め具として働き得る。
【００２２】
そのバッテリースリーブ６１０が形成された後、これは、負のコネクター６５８のハンダ付け性能を高めるために、金メッキで覆われ得る。その金メッキはまた、耐腐食性を提供し得る。その金メッキは、バッテリースリーブ全体および負のコネクター６５８を覆い得る。代替的実施形態において、スズメッキは、金メッキの代わりに、その負のコネクター６５８を覆うために使用され得る。バッテリースリーブ６１０がアルミニウムから作製される場合、およびその外側がハンダ付け性能および耐腐食性を高めるために金メッキで覆われる場合、ニッケルのような予備被覆が、金の外側メッキが適用される前に、バッテリースリーブ６１０に適用され得る。スズメッキが負のコネクター６５８に適用される代替的実施形態において、ニッケルでの予備被覆はまた、スズメッキの外側被覆を適用する前に、負のコネクター６５８に適用され得る。
【００２３】
図４および図６を参照すると、バネ絶縁体６４０は、バッテリースリーブ６１０に連結される場合、バッテリースリーブアセンブリ６００の端部部分を形成し得る。バネ絶縁体６４０は、高熱絶縁材料；すなわち、４００〜５００°Ｆの範囲のある高温に耐えることができ、かつ導電性でない材料から作製され得る。例示的実施形態において、バネ絶縁体６４０は、未充填（ｕｎｆｉｌｌｅｄ）プラスチックから作製され得る。代替的実施形態において、それは、堅く被覆した（ｈａｒｄ  ｃｏａｔｅｄ）７０７５アルミニウムから作製されてもよい。バネ絶縁体６４０は、シリンダ状の形状であり、かつ中空である。これは、端部６４１であいており、かつ端部６４２で閉じている。バネ絶縁体６４０の外径は、バッテリースリーブ６１０の外径と同じであり得る。バネ絶縁体６４０は、バッテリースリーブ６１０の内径より小さい内径を有し得る。１つの小さい方の内径６４３は、バッテリースリーブ６１０の底部におけるスナップ留め外形６６４のための嵌合部分を形成し得る。そのスナップ留め外形の嵌合部分６４３は、当業者に周知である。別の小さい方の内径６４４は、絶縁ワッシャー６２０のための下側の留め具を形成し得、また、バッテリースリーブ６１０のための下側の留め具機構の一部を形成し得る。代替的実施形態において、接着が、スナップ留め外形の代わりに使用されてもよい。
【００２４】
その２つの外形は、下側の留め具６４４の下で形成され得る。一方の外形は、板バネ６３０上のタブ６３１が、側壁を通って挿入されるバネ絶縁体６４０のその側壁におけるスルーホール６４５であり得る。別の外形は、バネ絶縁体６４０の製造の間にそのバネ絶縁体６４０の内壁にエッチングされ得る把握外形６４６であり得る。バネ絶縁体６４０における把握外形６４６は、当業者に周知の様式で、板バネ６３０（図７に示される）の把握
外形６３２と嵌合し得る。
【００２５】
板バネ６３０は、図４および図７に示される。例示的実施形態において、板バネ６３０は、可撓性の、導電性材料（例えば、ＢｅＣｕ合金）から作製され得る。代替的実施形態において、これは、容易に必要な形状に成形され得、圧力に対してその形状を維持し、非常に導電性であり、かつ変動性の温度条件および環境条件（化学物質への暴露を含む）に曝される場合にも十分機能する、任意の他の金属もしくは金属合金から作製され得る。別の代替的実施形態において、コイルバネが板バネの代わりに使用されてもよい。
【００２６】
板バネ６３０は、何回も前後にジグザグ形になっているＺ形状として形成され得る。その複数の屈曲は、その武器が発射される場合に、そのバッテリーを安定化するための圧縮可能な距離を提供し得る。すなわち、板バネ６３０の高さは、その上部層６３３がその底部層６３４に向かって圧縮される場合に、圧縮され得る。板バネ６３０は、圧縮距離を制限し得るように、複数のブレンドおよび必要な材料強度を有する。板バネの圧縮（ｌｅａｆ  ｃｏｍｐｒｅｓｓｉｏｎ）の距離を制限することにより、バッテリーが動く距離が制限され得、そのバッテリーの安定性が提供され得る。例示的実施形態において、板バネは、上部層６３３から底部層６３４までの距離が、０．１インチ〜０．３インチの範囲で互いに変化し得るように、圧縮され得る。
【００２７】
ドーム状境界面６３５は、板バネ６３０の上部層６３３の上に位置し得る。ドーム状境界面６３５は、絶縁ワッシャー６２０における穴６２２を通ってそのバッテリーの正の端部が適切に接触することを確実にするように、補助し得る。
【００２８】
板バネ６３０はまた、下側の板（ｌｅａｆ）６３４の反対側に把握外形６３２を有し得る。把握外形６３２は、一片の金属の一部であり得、その金属片から板バネ６３０が、把握外形６３２が、一体としてまとまった板バネの一部であり得るように、作製される。代替的実施形態において、把握外形６３２は、別個に製造されてもよく、次いで、当業者に公知のいずれかに手段によって、板バネ６３０に取り付けられてもよい。把握外形６３２は、バッテリーハウジングアセンブリ６００のアセンブリの間に、バネ絶縁体６４０に板バネをプレスばめさせることができる。把握外形６３２が、バネ絶縁体６４０にプレスばめされる場合、それらは、板バネ６３０とバネ絶縁体６４０との間の動きを減少させるために、および板バネ６３０とバッテリーアセンブリハウジングの残りとの間の動きを減少させるために、バネ絶縁体６４０における把握外形６４６と接触される。把握外形の角度は、バネ絶縁体６４０によりよりよい把握が得られるように選択される。その角度が十分に大きくなければ、板バネ６３０をバネ絶縁体６４０に押し込むことが困難になり得る。その角度が大きすぎれば、その把握は、把握外形６４６に対して十分にぴったりとフィットせず、それにより、板バネ６３０とバネ絶縁体６４０との間の十分ぴったりとした連結を妨げる可能性がある。
【００２９】
板バネ６３０の別の部分は、下側の板６３４の先端から延び得る接続タブ６３１である。接続タブ６３１は、一片の材料の一部であり得、その材料から、板バネ６３０は、タブ６３１が、一体としてまとまった板バネの一部であり得るように、作製される。代替的実施形態において、接続タブ６３１は、別個に製造されてもよく、次いで、当業者に公知のいずれかの手段によって、板バネ６３０に取り付けられてもよい。接続タブ６３１は、フレキシブル回路アセンブリとバッテリーのその正の端子との間に電気的接続を提供し得るように、バネ絶縁体６４０の側壁における穴６４５を通して挿入され得る。
【００３０】
図４を参照すると、絶縁ワッシャー６２０は、板バネ６３０とバッテリースリーブ６１０との間に存在するように、バネ絶縁体６４０の内側に配置され得る。絶縁ワッシャー６２０の外径は、バネ絶縁体６４０の開放端部６４１の内径と同じであり、かつ絶縁ワッシャー６２０がバネ絶縁体６４０に導入される場合に、下側の留め具６４４によって停止され得るように、バネ絶縁体６４０の下側の留め具６４４の内径より大きい。絶縁ワッシャー６２０の中間部にある穴６２２は、バッテリーの先端が板バネ６３０のドーム６３５と接触することができるように、十分大きい直径を有し得る。
【００３１】
絶縁ワッシャー６２０は、板バネ６３０のドーム６３５と組み合わせて、リバースポラリティー保護を提供し得る。例示的実施形態において、単一のＡＡバッテリーは、そのバッテリーアセンブリハウジングに挿入されて、その単眼用暗視デバイスに電圧を与え得る。ＡＡバッテリー（または他のバッテリー）の一方の端部は、正の電圧を提供する先端を有する。ＡＡバッテリーの他方の端部は、平らであり、負の電圧を提供する。例示的実施形態において、バッテリーの正の先端部は、絶縁ワッシャー６２０の方向で、バッテリーハウジングアセンブリに挿入され得る。
【００３２】
バッテリーが、バッテリーハウジングアセンブリ３００に正確に挿入される場合、正の電圧を提供するそのバッテリーの先端の直径は、絶縁ワッシャー６２０における穴６２２を通ってフィットし、板バネ６３０のドーム６３５と接触するように、十分小さい。他方、そのバッテリーの平らな負の端部の直径は、絶縁ワッシャー６２０の穴６２２の直径より大きい。バッテリーの負の端子は、絶縁ワッシャー６２０に向かって、バッテリーハウジングアセンブリ６００に挿入される場合、穴６２２は、そのバッテリーのその平らな負の端部を板バネ６３０のドーム６３５と接触させるほど十分には大きくない。結論として、そのバッテリーが不正確に挿入された場合、絶縁ワッシャー６２０は、そのバッテリーが、ドーム６３５と接触しないようにする。
【００３３】
例示的実施形態において、そのバッテリーハウジングアセンブリおよびその単眼用暗視デバイスは、ライフル銃のような武器に連結され得る。その武器が発射される場合、前方方向におけるその発射の力は、後ろ方向にそのライフルを押しやり得る。そのバッテリーハウジングアセンブリおよびその単眼用暗視デバイスは、武器に連結され得るので、それらもまた、後ろ方向に押しやられ得る。武器全体／バッテリーハウジングアセンブリ／単眼用暗視デバイスの後ろ方向への動きは、その武器を持っている人の肩にまたはいくつかの他の固定される物体によって不意に停止され得る。その武器およびこれが取り付けられた構成要素の後ろ向きの動きは、不意に停止されるが、そのバッテリーの慣性により、そのバッテリーは、そのバッテリーアセンブリハウジング内部で後ろ向きに動こうとし続ける。そのバッテリーが、あまりに後ろに動いてしまうと、板バネ６３０のドーム６３５との物理的かつ電気的接触が失われ得、それにより、そのバッテリーとその単眼用暗視デバイスとの間の電気回路接続が壊され、それにより、その単眼用暗視デバイスが機能しなくなる。
【００３４】
板バネ６３０のその高さおよび強度は、そのバッテリーアセンブリハウジングの一部分であり得、その武器が動くのをやめた後に、そのバッテリーが動く距離を制限し得る。そのバッテリーの動きを制限することによって、そのバッテリーを安定化させ得る。そのバッテリーアセンブリハウジングの別の部分は、絶縁ワッシャー６２０であり、これは、バネ絶縁体６４０における下側の留め具６４４に対して設置され得る。絶縁ワッシャー６２０は、板バネ６３０が圧縮されすぎることから保護され得るように、十分厚みがあり得、それにより、板バネ６３０がその十分に延びた幅に戻らなくなる点を超えて圧縮されないようにする。絶縁ワッシャー６２０はまた、その厚みが、ＡＡバッテリーの最も厚い正の接触よりも大きいように、十分厚みがあり得る。絶縁ワッシャー６２０はまた、バッテリースリーブ６１０の下側の留め具６４４とスナップ留め外形６４３との間で上方向および下方向に移動することが可能であり得る。下側の留め具６４４とスナップ留め外形６４３との間を動くこの自由度により、そのバッテリーアセンブリが、異なる長さのバッテリーに適合し、バッテリーが動く時間の間にそのバッテリーとの接触を維持し、板バネが、過度に圧縮されないようにすることが可能になる。
【００３５】
図８は、組み立てられたバッテリースリーブアセンブリ６００を示す。そのバッテリースリーブアセンブリの構成要素が組み立てられると、板バネ６３０の正のコネクター６３１は、バネ絶縁体６４０から穴６４５を通って突出し、負のコネクターは、そのバッテリースリーブ６１０の外側表面から突出する。負のコネクター６５８および正のコネクター６３１は、その単眼用暗視デバイスのフレキシブル回路と、ならびにそのバッテリーアセンブリの内側のバッテリーの負の端子および正の端子と適切に接触し得る。正のコネクター６３１および負のコネクター６５８は、そのフレキシブル回路に接続されるように、並べられ得る。例示的実施形態において、正のコネクター６３１および負のコネクター６５８は、バッテリーアセンブリハウジング６００の長手軸に対して平行に並べられ得る。代替的実施形態において、それらのコネクターは、そのバッテリーアセンブリハウジングの長手軸に対して平行でない様式で並べられ得る。例示的実施形態において、それらは、手動で並べられ得る。代替的実施形態において、それらのコネクターを並べるために、工作機械またはロボットが使用され得る。
【００３６】
図９Ａ、９Ｂ、および９Ｃを参照すると、一旦そのバッテリースリーブアセンブリ６００が組み立てられると、これは、オーバーモールドプロセスによってそのアセンブリの周りにバッテリーハウジング７００を作り出す射出成形ツールに挿入され得る。オーバーモールドプロセスの間に、液体の高温導電性プラスチックが射出成形工作機械へと流れ、そのバッテリースリーブアセンブリの周りを包み、図５に示される溝６５６を含め、その射出成形工作機械空洞中の全ての間隙を満たす。
【００３７】
例示的実施形態において、バッテリーハウジング７００の導電性プラスチックは、約４００度または５００度の温度で溶ける、炭素入りナイロンまたはポリエーテルイミド（ｐｏｌｙｅｔｈｅｒｍｉｄｅ）（ＰＥＩ）であり得る。このような製品の１つの銘柄は、ＵＬＴＥＭＴＭである。代替的実施形態において、その導電性プラスチックは、ニッケル被覆された炭素入りナイロンであり得る。別の実施形態において、その導電性プラスチックは、導電性の、炭素繊維もしくは他の充填用繊維を含む任意のプラスチックであり得る。なお別の代替的実施形態において、別の導電性プラスチックが使用されて、環境保護、願強制、および耐化学物質性を提供するように、そのバッテリースリーブアセンブリの周りにぴったりと成形されたフィットを提供し得る。そのハウジング７００が、導電性プラスチックから作製される場合に、これは、無線設備およびレーダー設備から発せられる電磁エネルギーから、その単眼用暗視デバイスを保護し得、静電気と関連する静電気放電から保護し得る遮蔽を提供し得る。さらに、バッテリーハウジング７００は、その単眼用暗視デバイスから発せられ得る電磁エネルギーから、レーダー設備および無線設備を保護し得る。オーバーモールドプロセスの間に、そのプラスチックは、当業者に公知の様式で、そのバッテリースリーブアセンブリの周りに成形される。
【００３８】
その成形周りのプロセスの結果、バッテリースリーブアセンブリハウジング６００は、バッテリーハウジング７００の内側に存在して、そのバッテリーハウジング／スリーブアセンブリ５００を形成する。その成形周りのプロセスの完了時に、バッテリースリーブアセンブリ６００の端部６５０およびセグメント６５２は、バッテリーハウジング７００における開口部７０６から突出し（図９Ｂおよび図１９Ｃを参照のこと）、端部部分６４０は、バッテリーハウジング７００の内側に存在し、そのバッテリーハウジングの外側には見られない。バッテリーハウジング７００の内側は、正のコネクター６３１が、貫通孔７０４から突出し得、かつ負のコネクター６５８が、貫通孔７０２から突出し得るように、２つの貫通孔７０２、７０４を有し得る。その突出しているコネクターは、図９Ｃに示される。そのオーバーモールドプロセスが完了した後、別個の接着シールが、正のコネクター６３１の周りまたは負のコネクター６５８の周りに適用され得る。その接着シールは、バネ絶縁体６４０と正のコネクター６３１との間に、環境からのシールを作り出す。そのオーバーモールドプロセスの間に正の接触６３１の周りに形成されるその貫通孔７０４は、そのシール適用を単純にし得る。
【００３９】
図１〜３を参照すると、そのバッテリーハウジング／スリーブアセンブリ５００は、そのバッテリースリーブアセンブリのセグメント６５２についての覆いとして、バッテリーキャップアセンブリ３１０を付加することによって完成され得る。図１０を参照すると、バッテリーキャップアセンブリ３１０は、バッテリーキャップ３１１およびバッテリーキャップ３１１の内部に取り付けられたコイルバネ３１２を備える。バッテリーキャップ３１１およびコイルバネ３１２は、ともに、導電性材料から作製される。そのバッテリーキャップ３１１の内径は、バッテリースリーブアセンブリ６００のセグメント６５２に対してフィットするように十分大きくあり得る。バッテリーキャップ３１１の内側は、バッテリースリーブ６１０のセグメント６５２上の外側ねじ山６５４との連結を提供し得る、ねじ山が切られた境界面３１５を備え得る。バッテリーキャップ３１１の内側はまた、バッテリースリーブ６１０の上のＯ−リングアセンブリ６５５と境界面を連結する平滑直径境界面（ｓｍｏｏｔｈ  ｄｉａｍｅｔｅｒ  ｉｎｔｅｒｆａｃｅ）３１３を備え得る。コイルバネ３１２は、バッテリーキャップ３１１の内部にあるアンダーカット溝３１４においてバッテリーキャップ３１１の内側へスナップ留めされ得る。
【００４０】
Ｏ−リング境界面３１３、アンダーカット溝３１４、およびねじ山が切られた境界面３１５は、バッテリーキャップ３１１の内部の異なる位置に全て配置される。Ｏ−リング境界面３１３は、バッテリーキャップ３１１の開放端部３１７の近くに配置され得る。アンダーカット溝３１４は、バッテリーキャップ３１１の閉鎖端部３１６近くに配置され得る。ねじ山が切られた境界面３１５は、ｏ−リング境界面３１３とアンダーカット溝３１４との間に配置され得る。例示的実施形態において、コイルバネ３１２は、５と１／２回転で構成され得、これは、それらの非圧縮状態で、高さ０．５６インチであり得、それらの圧縮状態で、高さ０．１５０インチであり得る。代替的実施形態において、異なる非圧縮寸法および異なる圧縮寸法を有する異なる巻き数が、そのコイルがバッテリーアセンブリハウジング内のその動きを制限しないように、そのバッテリーに対して十分な圧力を提供する限りにおいて、使用され得る。コイルバネ３１２は、最も大きな直径のコイルをバッテリーキャップ３１１の内部にあるアンダーカット溝３１４にスナップ留めすることによって、バッテリーキャップ３１１に組み立てられ得る。バッテリーキャップアセンブリ３１０が、バッテリースリーブをねじ山に沿って進むと、そのバッテリーキャップ内側のねじ山は、そのバッテリースリーブアセンブリ上のねじ山と係合し、その平滑内径３１３は、それがそのバッテリーアセンブリ上のｏ−リング溝６５５と嵌合して、環境からのシールを作り出すまで、そのバッテリーアセンブリの上部の上にスライドする。そのシールは、塩水、砂および粉塵を含む、いかなる型の水分をも入らないようにし得る。
【００４１】
バッテリーキャップアセンブリ３１０が、そのバッテリースリーブアセンブリと完全に契合すると、コイル３１２は、そのバッテリースリーブアセンブリの内部にあるバッテリーの負の端子を押しつけて、その武器が発射された場合に、そのバッテリーにさらなる安定性を提供し得る。コイルバネ３１２および板バネ６３０はともに、バッテリー安定性を提供する。
【００４２】
例示的実施形態の実施において、ＡＡバッテリーが、バッテリースリーブアセンブリ６００に挿入される場合、その正の端子は、正のコネクター６３１の方に面し得る。バッテリースリーブアセンブリ６００、バッテリーキャップアセンブリ３１０、および負のコネクター６５８は全て、導電性材料から作製されるので、その負の端子からの負電荷は、バッテリーキャップアセンブリ３１０を通って、バッテリースリーブアセンブリ６００を通って、負のコネクター６５８を通って、そしてフレキシブル回路アセンブリへと移動し得る。そのバッテリーの正の端子からの正電荷は、バッテリーの正の端子から板バネ６３０のドーム６３５へ、正のコネクター６３１へ、そしてフレキシブル回路アセンブリへと移動し得る。
【００４３】
特定の具体的実施形態を参照して、上記に例示され、記載されてきたものの、それにも拘わらず、本発明は、その示された詳細に限定されることを意図しない。むしろ、種々の改変は、特許請求の範囲の等価な範囲内の詳細において、本発明の趣旨から逸脱することなく、行われ得る。
【図面の簡単な説明】
【００４４】
本発明は、添付の図面とともに読めば、詳細な説明から最もよく理解される。技術常識に従って、その図面の種々の特徴は、縮尺通りでないことが強調される。一方、その種々の特徴の寸法は、明瞭性のために任意に拡大または縮小される。図面には、以下の図が含まれる。
【図１】図１は、本発明の単一バッテリーハウジングアセンブリの例示的実施形態の底面斜視図である。
【図２】図２は、互いに連結されて示される、単眼用ハウジングアセンブリを伴う、本発明の単一バッテリーハウジングアセンブリの例示的実施形態の組み立て図である。
【図３】図３は、本発明の単一バッテリーハウジング／スリーブアセンブリの例示的実施形態の上部等角図である。
【図４】図４は、本発明のバッテリースリーブアセンブリの例示的実施形態の分解組み立て図である。
【図５】図５は、本発明のバッテリースリーブの例示的実施形態の斜視図である。
【図６】図６は、本発明のバネ絶縁体の例示的実施形態の斜視図である。
【図７】図７は、本発明の板バネの例示的実施形態の上部等角図である。
【図８】図８は、正のコネクタおよび負のコネクタを示す、本発明のバッテリースリーブアセンブリの例示的実施形態の組み立て斜視図である。
【図９】図９Ａは、バッテリースリーブアセンブリの例示的実施形態の斜視図である。図９Ｂは、バッテリースリーブアセンブリのためのオーバーモールドの例示的実施形態の斜視図である。図９Ｃは、そのオーバーモールドの内側のバッテリースリーブアセンブリを示す斜視図である。図９Ａ、９Ｂ、９Ｃは、そのバッテリースリーブアセンブリとそのオーバーモールドとの間の相互関係の例示的実施形態を示す分解組み立て図を提供する。
【図１０】図１０は、バッテリーキャップおよびコイルバネ（ｓｏｉｌ  ｓｐｒｉｎｇ）を備える、本発明のバッテリーキャップアセンブリの例示的実施形態の組み立て図である。
【図１１】図１１は、本発明のバッテリーキャップの内部の例示的実施形態の斜視図である。